(57)【要約】【課題】ユーザがチャプター編集の操作をすることなくチャプター編集できるようにする。【解決手段】記録再生装置２０は、チューナ２１またはネットワーク接続部２３を介して取得したコンテンツを、ハードディスク１００等の記録媒体に記録し、又はハードディスク１００から読み出す録画再生制御部２５と、ハードディスク１００等の記録媒体に記録したコンテンツまたは記録するコンテンツに基づいて、ネットワークを介してコメント蓄積サーバから、前記コンテンツに対するコメント情報を取得するコメント管理部２８と、コメント管理部２８が取得したコメント情報を解析し、前記コンテンツに対するチャプターを編集するチャプター編集処理部２９と、を備える。【選択図】図５
2012034152.tif 000002
【特許請求の範囲】
【請求項１】
外部から取得したコンテンツを出力する出力部と、
放送されるコンテンツを受信して出力するチューナと、
コンテンツを記録する記憶媒体と、
ネットワークを介してコンテンツを取得するネットワーク接続部と、
前記チューナまたはネットワーク接続部を介して取得したコンテンツを前記記憶媒体に記録し、又は前記記憶媒体から読み出す録画再生制御部と、
前記記憶媒体に記録したコンテンツまたは記録するコンテンツに基づいて、ネットワークを介してコメント蓄積サーバから、前記コンテンツに対するコメント情報を取得するコメント管理部と、
前記コメント管理部が取得したコメント情報を解析し、前記コンテンツに対するチャプターを編集するチャプター編集処理部と、を備えたことを特徴とする記録再生装置。
【請求項２】
前記チャプター編集処理部は、前記コメント情報を解析する際、予め設定された所定の回数以上または以下のコメントを検出して、前記コンテンツに対するチャプターを編集することを特徴とする請求項１に記載の記録再生装置。
【請求項３】
前記チャプター編集処理部は、前記コメント情報を解析する際、予め設定された１つまたは複数のキーワードに基づいて、当該キーワードを含むコメントを検出して、前記コンテンツに対するチャプターを編集することを特徴とする請求項１に記載の記録再生装置。
【発明の詳細な説明】
【技術分野】
【０００１】
本発明は、ｉＶＤＲ（ｉｎｆｏｒｍａｔｉｏｎ  Ｖｅｒｓａｔｉｌｅ  Ｄｉｓｋ  ｆｏｒ  Ｒｅｍｏｖａｂｌｅ  ｕｓａｇｅ）と称する国際規格に準拠して規格化されたカートリッジタイプのハードディスなどを記録媒体とする記録再生装置にするものであり、特に、ソーシャルネットワーク上から取得した不特定多数の人々が記録した種々のコメント情報を用いて、コンテンツを録画する際のチャプター編集を行うようにした記録再生装置に関するものである。
【背景技術】
【０００２】
映像や音声からなるコンテンツを記録し再生させる装置としては、従来から広く普及しているＶＴＲに加えて近年ではＤＶＤ（Ｄｉｇｉｔａｌ  Ｖｅｒｓａｔｉｌｅ  Ｄｉｓｋ）やハードディスク（Ｈａｒｄ  Ｄｉｓｋ  Ｄｒｉｖｅ）を記録媒体とするものも普及し始めている。現在、ＤＶＤは数ギガバイト、ハードディスクは数１００ギガバイトといった大記憶容量を有したものが普及しており、ＭＰＥＧ２方式等による高能率符号化技術を用いることによって、数時間から数１０時間に渡りコンテンツの記録を容易に可能としている。
【０００３】
これらハードディスクやＤＶＤの記録媒体を用いた記録再生装置においては、従来のＶ
ＴＲと同様に予約録画機能を備えることにより所望の多数の番組を連続して同一媒体に記
録させることが可能である。このような場合、多数のコンテンツが連続して記録されることになるため、利用者の利便性を高めるため、番組（コンテンツ）毎又は番組中（コンテンツ中）の所望の箇所に区切りを付けさせるため、チャプター情報を作成して対応付けることが通常行われている。
【０００４】
例えば、記録される音声のモードに応じてチャプター情報を作成するということも実現されている。これは例えば映画やドラマ等の番組がモノラル音声又は２重音声による放送であった場合、番組放送中に放送されるコマーシャルがステレオ音声に切り替わる部分で音声モードの変化を検出してチャプター情報を付加させることを可能としたものである。しかしこの場合、番組自身がコマーシャルと同じステレオ音声であった場合は、その区切りを検出することができないためチャプター情報の付加はできない。
【０００５】
チャプター情報を編集することができる記録再生装置としては、例えば、下記の特許文献１（特開２００２−１５２６３６号公報）に開示された自動チャプター作成機能付き記録再生装置がある。この自動チャプター作成機能付き記録再生装置は、録画中に一時停止され、その後、録画が再開された位置をチャプターの境界とするようにして、自動的にチャプターを作成するように構成されたものである。
【０００６】
しかしながら、このようなチャプター編集の方法では、チャプター情報と記録した番組とは１対１の関係にあるため、つまり複数の番組を連続して記録させた場合、各番組の切れ目や番組中の所望の箇所にチャプター情報をつけるためには記録された全番組についてそれぞれ再生動作又はサーチ動作をさせながら順次チャプターを付ける作業が必要であり、記録時間が長時間であるほどその作業には手間がかかる。また、番組途中の所望の箇所でチャプターを自動付加させることは考慮されていない。
【０００７】
このような、不都合を解消するため、下記の特許文献２（特開２００５−２１７８７５号公報）に開示されるようなチャプター情報の管理方法が提案されている。この管理方法は、利用者が作成したチャプタデータを記録する際に、チャプタデータが関連付けられた識別子をチャプタリストに登録し、録画リストの録画情報に前記識別子を登録して録画データとチャプタデータとを関連付けして、予約リストの録画予約情報に設けられた第１の識別子欄に既に記録されたチャプタデータに関連付けられた識別子を指定すると、録画終了後にこの識別子を録画リストの対応する録画情報に設けられた第２の識別子欄に複製して録画データとチャプタデータとを関連付けるようにしたものである。
【０００８】
また、近年ではテレビ放送のデジタル化に対応するため、ＤＶＤレコーダまたはＨＤＤレコーダ等のデジタル方式による記録再生装置が広く普及してきている。これらのデジタル方式の記録再生装置の機能の一つとして、タイムシフト機能がある。タイムシフト機能とは、コンテンツ（映像情報）の録画を行いながら並行して現在録画中のコンテンツの再生を行うことを可能とした機能である。タイムシフト機能を用いれば、ユーザは録画中のコンテンツの録画済みのシーン（例えばサッカーであれば、試合開始のシーン等）から再生を開始するとともに、録画処理も継続して行うことが可能である。これにより例えばサッカーの試合を録画している場合などにおいて、録画の完了（例えば試合終了）を待つことなく、好きな時に試合開始のシーンから鑑賞を行うことが可能となる。
【０００９】
タイムシフト機能を有するデジタル方式の記録再生装置は、例えば、下記の特許文献３（特開２００７−３１０９５５号公報）に開示されている。この記録再生装置は、タイムシフト再生中に、録画中データに対する編集指示を受け付ける。入力された編集指示は一時的にハードディスク等の記憶装置に記憶され、録画処理およびタイムシフト再生処理が完了した段階で、記憶装置に記憶されている編集指示が自動的に録画データに対して反映されるように構成されたものである。編集指示としては、例えばチャプター設定指示、或いは手動による映像情報の一部削除指示が受け付けられる。受け付けられた指示は、反映前であれば何度でも変更可能にされている。
【００１０】
また、この種の映像、音楽、プログラム等のコンテンツは、近年ではデータの高品質・高画質化が進みデータ量が格段に大きくなってきている。これを記録するためには大容量の記憶媒体を必要とする。また、一般に提供される優良なコンテンツを拡大するためには、コンテンツの違法な複製を制限するなど、著作権を有効に保護する技術が併せて提供されなければならない。さらには、ユーザにとっては、持ち運びが自由にできる記憶媒体にコンテンツを保存し、任意の電子機器にその記憶媒体を接続（装着）して利用したいという要求もある。
【００１１】
このような要求をも満たすため、ｉＶＤＲ（ｉｎｆｏｒｍａｔｉｏｎ  Ｖｅｒｓａｔｉｌｅ  Ｄｉｓｋ  ｆｏｒ  Ｒｅｍｏｖｅａｂｌｉｅ  ｕｓａｇｅ）と称する国際規格に準拠して規格化されたカートリッジタイプのハードディスクを記録媒体とする記録再生装置も提供されている。この規格によれば、コンテンツの著作権保護が図られたコンテンツを取得してその著作権保護の状態を変更することなくｉＶＤＲに記録することでできるようされていく。
【先行技術文献】
【特許文献】
【００１２】
【特許文献１】特開２００２−１５２６３６号公報
【特許文献２】特開２００５−２１７８７５号公報
【特許文献３】特開２００７−３１０９５５号公報
【発明の概要】
【発明が解決しようとする課題】
【００１３】
記録再生装置にコンテンツを記録（録画）し、連続して記録されたコンテンツの区切りやコンテンツ途中にチャプター情報を対応付けて記録する場合、上記特許文献１〜特許文献３に開示された記録再生装置のように、コンテンツのデータを解析して番組の区切りを検出したり、コマーシャル部分を検出したりして自動的にチャプター編集し、あるいは、ユーザがコンテンツの所望の位置にポイントを指定してチャプター編集する方法が一般的であった。
【００１４】
しかしながら、自動的にチャプター編集を行う記録再生装置の場合、当然に記録再生装置に搭載された自動チャプター編集の条件に該当しない箇所にチャプターを設定することはできず、融通性の低いものになってしまうという問題点がある。これに対して、ユーザがコンテンツの所望の位置にポイントを指定してチャプター編集する記録再生装置であれば、チャプター編集の融通性は向上できるが、ユーザ操作が必要になるという問題点が生じる。
【００１５】
ところで、最近ではインターネットを用いた通信技術の発展により誰もが、携帯電話などの携帯端末を用いて所望のサーバとの間で気軽に通信が行えるようになり、不特定多数のユーザが特定の興味対象について自由にサーバに自分の感想などを書き込み、これを誰もが参照できる、いわゆるソーシャルネットワークシステムが種々提供されている。例えば、興味対象が特定の映画である場合、不特定多数のユーザが、それぞれその映画を見た感想や、印象深いシーンの紹介などを書き込みすることができ、また、当該映画に興味を持つ不特定多数のユーザがそれらの書き込みを参照（読む）ことができ、また参照した書き込みに対して更に自身の感想を書き込むこともできる。このようなサーバは当該興味対象に関連する事業体等が運営するのが一般的であり、例えば、興味対象が映画である場合は、映画の配給会社あるいはテレビジョン放送を提供する放送会社などにより運営されるサーバである。
【００１６】
録画再生装置がネットワーク接続機能を備えていれば、上記のようなサーバから不特定多数のユーザがある特定の興味対象に対して書き込んだコメントの情報を取得することができる。そこで本願発明はこれに着目し、上記の問題点を解消せんとするものであり、ユーザがチャプター編集の操作をすることなくチャプター編集をすることができる記録再生装置を提供することを目的とする。すなわち、本願発明は、映像や音声からなるコンテンツに対して不特定多数のユーザが書き込んだコメントを蓄積したコメント蓄積サーバから、記憶媒体に記録したコンテンツに関するコメント情報を取得し、取得したコメントに基づいてチャプター編集できるようにした記録再生装置を提供することを目的とするものである。
【課題を解決するための手段】
【００１７】
前記課題を解決するために、本願の請求項１にかかる発明は、外部から取得したコンテンツを出力する出力部と、放送されるコンテンツを受信して出力するチューナと、コンテンツを記録する記憶媒体と、ネットワークを介してコンテンツを取得するネットワーク接続部と、前記チューナまたはネットワーク接続部を介して取得したコンテンツを前記記憶媒体に記録し、又は前記記憶媒体から読み出す録画再生制御部と、前記記憶媒体に記録したコンテンツまたは記録するコンテンツに基づいて、ネットワークを介してコメント蓄積サーバから、前記コンテンツに対するコメント情報を取得するコメント管理部と、前記コメント管理部が取得したコメント情報を解析し、前記コンテンツに対するチャプターを編集するチャプター編集処理部と、を備えたことを特徴とする。
【００１８】
また、本願の請求項２にかかる記録再生装置は、請求項１にかかる記録再生装置において、前記チャプター編集処理部は、前記コメント情報を解析する際、予め設定された所定の回数以上または以下のコメントを検出して、前記コンテンツに対するチャプターを編集することを特徴とする。
【００１９】
また、本願の請求項３にかかる記録再生装置は、請求項１にかかる記録再生装置において、前記チャプター編集処理部は、前記コメント情報を解析する際、予め設定された１つまたは複数のキーワードに基づいて、当該キーワードを含むコメントを検出して、前記コンテンツに対するチャプターを編集することを特徴とする。
【発明の効果】
【００２０】
請求項１にかかる発明においては、外部から取得したコンテンツを出力する出力部と、放送されるコンテンツを受信して出力するチューナと、コンテンツを記録する記憶媒体と、ネットワークを介してコンテンツを取得するネットワーク接続部と、前記チューナまたはネットワーク接続部を介して取得したコンテンツを前記記憶媒体に記録し、又は前記記憶媒体から読み出す録画再生制御部と、前記記憶媒体に記録したコンテンツまたは記録するコンテンツに基づいて、ネットワークを介してコメント蓄積サーバから、前記コンテンツに対するコメント情報を取得するコメント管理部と、前記コメント管理部が取得したコメント情報を解析し、前記コンテンツに対するチャプターを編集するチャプター編集処理部と、を備えた。
【００２１】
かかる構成によれば、記録再生装置において、ソーシャルネットワーク上から取得した不特定多数の人々が記録した種々のコメント情報を用いて、録画コンテンツに対するチャプター編集を行うことができるから、ユーザが種々のチャプター編集操作をすることなく、録画コンテンツに対するチャプター編集を行うことができるようになる。
【００２２】
また、ｉＶＤＲ規格に準拠して規格化されたカートリッジタイプのハードディスクを記録媒体とする録画再生装置に適用すれば、これらの機器は高い互換性を有するので、ｉＶＤＲに準拠した放送受信装置であれば、例え、他のメーカーの放送受信装置に買い換えた場合でもカートリッジに記録したコンテンツを再生することができる。また、チャプター編集機能を有していなくても、チャプター再生機能を有している記録再生装置であれば、チャプター情報を保存したカートリッジを当該録画再生装置に装着し、録画コンテンツをチャプター再生することができるようになる。
【００２３】
請求項２にかかる発明においては、請求項１にかかる記録再生装置において、チャプター編集処理部は、前記コメント情報を解析する際、予め設定された所定の回数以上または以下のコメントを検出して、前記コンテンツに対するチャプターを編集する。従って、コメント蓄積サーバに蓄積されたコメント情報のうち、書き込みの回数が所定の回数以上または以下の場合に、録画コンテンツに対するチャプターを設定することができるようになる。
【００２４】
請求項３にかかる発明においては、請求項１にかかる記録再生装置において、チャプター編集処理部は、前記コメント情報を解析する際、予め設定された１つまたは複数のキーワードに基づいて、当該キーワードを含むコメントを検出して、前記コンテンツに対するチャプターを編集する。従って、ユーザは予め所望のキーワードを設定しておくことで、録画コンテンツに対して、ユーザが所望するキーワードに基づいたチャプターを設定することができるようになる。
【図面の簡単な説明】
【００２５】
【図１】本発明の実施例に係るカートリッジ装着装置を備えた記録再生装置であって、カートリッジの装着前の状態を示す斜視図である。
【図２】図１における記録再生装置の背面図である。
【図３】図１における記録再生装置であって、カートリッジの装着状態を示す斜視図である。
【図４】ｉＶＤＲ規格に準拠して規格化されたカートリッジタイプのハードディスクの外観を示す斜視図である。
【図５】本発明の実施例に係る記録再生装置の構成を示すブロック図である。
【図６】本発明の実施例に係るチャプター編集の概念を説明する模式図である。
【図７】本発明のチャプター編集手順の一例を示すフローチャートである。
【図８】本発明のチャプター編集手順の他の一例を示すフローチャートである。
【発明を実施するための形態】
【００２６】
以下、本発明の具体例を実施例及び図面を用いて詳細に説明する。但し、以下に示す実施例は、本発明の技術思想を具体化するための記録再生装置を例示するものであって、本発明をこの記録再生装置に特定することを意図するものではなく、特許請求の範囲に含まれるその他の実施形態の記録再生装置にも等しく適用し得るものである。
【実施例】
【００２７】
図１は本発明の実施例に係るカートリッジ装着装置を備えた記録再生装置であって、カートリッジの装着前の状態を示す斜視図、図２は図１における記録再生装置の背面図、図３は図１における記録再生装置であって、カートリッジの装着状態を示す斜視図である。図４はｉＶＤＲ規格に準拠した、ハードディスクを記録媒体とするカートリッジの概観を示す図である。なお、以下に説明する実施例における記録再生装置はｉＶＤＲ規格に準拠したカートリッジ装着装置を備えたものを例に説明するが、本発明はこれに限られるものではなく、ＤＶＤレコーダまたはＨＤＤレコーダ等のアナログあるいはデジタル方式による記録再生装置であってもよい。
【００２８】
本発明の実施例に係る記録再生装置２０は、図１で示すように、カートリッジ１００を記録再生装置２０に内蔵されたカートリッジ装着部に挿入するためのスロット２０１が前面に設けられている。カートリッジ１００は、図４に示すものであり、図４に示すカートリッジと同一部分には同一の参照符号を付してある。図４はｉＶＤＲ規格に基づいたカートリッジの外観を示す斜視図である。このカートリッジ１００は、例えば、図４に示すように、幅Ｗが８０ｍｍ、長さＬが１１０ｍｍ、厚みＳが１２，７ｍｍの矩形で単純な形状のハウジング１０１からなり、ハードディスクドライブを内蔵したものである。
【００２９】
記録再生装置２０には、スロット２０１に隣接して電源ボタン２０２、リモートコントロール用の赤外線センサー２０３、ｉＶＤＲ動作表示ランプ２０４、録画予約表示ランプ２０５、通電表示ランプ２０６が設けられている。スロット２０１は、図３で示すように、装着状態のカートリッジ１００を取出す際につまむことができるように切り欠かれており、カートリッジ１００部分が露出している。
【００３０】
本発明に適用されるｉＶＤＲ規格に基づいたカートリッジ１００は、図４に示すように、所定規格のハウジング１０１からなり、ハウジング１０１の両側面にはガイドレール１０３が形成され、図１で示すようにカートリッジ１００がカートリッジ装着装置の挿入口２０１に挿入するようになっている。ガイドレール１０３にはロック用の凹部１０４が形成され、図３で示すカートリッジ１００の装着状態でカートリッジ装着部（図示せず）のロック機構の突起（図示せず）が係合するようになっている。
【００３１】
記録再生装置２０の側面にはＢ−ＣＡＳ（登録商標）カードを挿入するためのスロットを覆うスロットカバー２０７が設けられている。また、図２で示すように、記録再生装置２０の背面には、ＡＣ電源入力端子２０８、アンテナ入力端子２０９、アンテナ出力端子２１０、映像出力端子２１１、音声出力端子２１２、デジタル映像・音声を入出力するためのＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）端子２１３、排熱口２１４等が設けられている。
【００３２】
記録再生装置２０は、受信された映像信号等をカートリッジ１００内のハードディスクに記録し、またハードディスクに記録した記録情報を再生するレコーダである。このため、記録再生装置２０は、アンテナ入力端子２０９やＨＤＭＩ端子２１３等から入力された映像信号、音声信号を受信するための信号受信回路、カートリッジ１００が記録再生装置２０に装着されると受信された映像信号等をハードディスクに記録したり、ハードディスクに記録された映像信号を再生したりするための信号処理回路等を備えている。
【００３３】
図５は、カートリッジ１００を装着可能とした本発明の実施例にかかる記録再生装置２０の構成を示すブロック図である。記録再生装置２０は、チューナ２１、ｉＶＤＲ規格に基づくカートリッジ１００（以下、ハードディスクともいう）が装着されるｉＶＤＲ装着部２２、ネットワーク接続部２３、視聴制御部２４、録画再生制御部２５、ＷＥＢブラウザ２６、映像音声出力部２７を備えて構成されている。これらの構成要素は一般的なｉＶＤＲ規格に対応した記録再生装置が備えているものである。本発明にかかる記録再生装置は、上記の構成要素に加え、更にコメント管理部２８、チャプター編集処理部２９を備えている。
【００３４】
チューナ２１は、ユーザによって選択されたチャンネルの放送波を受信し、視聴制御部２４を介して映像音声出力部２７に送り、映像音声出力部２７から出力された出力信号はテレビジョン受像機（ＴＶ）等の機器に送信される。また、記録再生装置２０は、ネットワーク接続機能を有しており、ネットワーク接続部２３を介してインターネットや家庭内ネットワークに接続し、ＷＥＢブラウザ２６を用いてネットワーク上の所望のコンテンツを特定し、映像音声出力部２７を用いて出力することができる。これらの各部の機能は、ネットワーク接続機能を備えた一般的な録画装置の機能と同様である。
【００３５】
チューナ２１を介して受信された放送波は録画再生制御部２５を介してｉＶＤＲ装着部２２に装着されたカートリッジ１００に記録（録画保存）される。従って、録画再生制御部２５の機能、作用は、通常の放送受信装置と異なり、ｉＶＤＲ規格に準拠した録画生成処理の制御を行う。すなわち、録画再生制御部２５はｉＶＤＲ規格によって定められた暗号方式に基づいてコンテンツを暗号化してカートリッジ１００に記録する。また、カートリッジ１００に記録されたコンテンツを読み出して再生処理する際には、該暗号化方式に基づいてコンテンツを復号化し、映像音声出力部２７から出力する。また、録画再生制御部２５は、コンテンツにｉＶＤＲ規格に基づく著作権保護のためアクセス制限情報が付与されている場合には、当該アクセス制限情報に基づいた録画再生処理を行う。
【００３６】
次に、本発明にかかるチャプター編集の手順について説明する。コメント管理部２８は、ネットワーク接続部を介してコメント蓄積サーバ（図示せず）に蓄積されているコメント情報を取得することができる。コメント蓄積サーバは、先に説明したように、ソーシャルネットワークシステムにより提供されるサーバである。例えば、興味対象が特定の映画である場合、映画の配給会社あるいはテレビジョン放送を提供する放送会社などにより運営されるサーバが想定されるが、不特定多数のユーザが、それぞれ映画を見た感想や、印象深いシーンの紹介などを書き込みすることができるサーバであればインターネットに接続された一般的なサーバ、ＷＥＢサイトでもよく、これらのサーバやＷＥＢサイトに書き込まれた放送番組に関するコメントを取得するように構成することもできる。
【００３７】
不特定多数のユーザによって書き込まれたコメントは時系列的にコメント蓄積サーバに蓄積される。また、例えば、コンテンツがテレビ放送により提供された場合は、放送チャンネルごとに、コンテンツのタイトル別にコメント蓄積サーバに蓄積されることも可能である。当該映画に興味を持つ不特定多数のユーザはコメント蓄積サーバにアクセスしてそれらの書き込みを参照（読む）することができる。また参照した書き込みに対して更に自身の感想を書き込むこともできる。コメント管理部２８はこのようなコメント蓄積サーバからコメントを取得する。
【００３８】
コメント管理部２８は、録画再生制御部２５によりｉＶＤＲ装着部２２に装着されたカートリッジ１００に記録されたコンテンツ（以下、録画コンテンツという）のタイトル、放送日時や放送局などを基にコメント蓄積サーバにアクセスして、録画コンテンツに関するコメント情報を取得してカートリッジ１００に保存する。コメント情報の取得はコンテンツの録画時に行ってカートリッジ１００に保存しておく必要はなく、チャプターを編集する際にコメント情報を取得するようにしてもよい。勿論、コンテンツの録画時にコメント情報を取得して保存してもよい。
【００３９】
チャプター編集処理部２９によりチャプター編集を行う際には、コメント管理部２８は、カートリッジ１００に保存したコメント情報を取得（読出し）してチャプター編集処理部２９に送る。チャプター編集処理部２９はコメント管理部２８から送られたコメント情報を解析する。コメント情報の解析の方法はいくつかの方法を採ることができる。例えば、第１の方法は、予め設定した所定の数値（コメント回数）に基づいて、一定回数を超えるかまたは一定数以下のコメントが書き込まれたコンテンツの部分にチャプターを設定して編集する方法である。第２の方法は、ユーザが１つまたは複数のキーワードを設定しておき、設定されたキーワードを含むコメントが書き込まれたコンテンツの部分にチャプターを設定して編集する方法である。
【００４０】
また、本発明によるチャプター編集の処理は、ユーザ選択によって行われることが好ましい。この場合、録画再生装置にチャプター編集の開始ボタンを設け、あるいは、メニュー画面によりチャプター編集処理を選択させ、チャプター編集の対象にする録画コンテンツを選択できるようにすればよい。コメントの取得およびチャプターの編集とコンテンツの録画処理を同時に行う場合には、録画中にチャプター編集の開始ボタンを操作するだけで、録画中の放送局（チャンネル）、放送時刻は既知であるから自動的にコンテンツ蓄積サーバから録画コンテンツに対するコンテンツを取得してチャプター編集することができる。また、録画予約時にチャプターを自動的に付与するように設定しておけば、録画開始とともに自動的にコメント蓄積サーバからコメントを取得してチャプター編集を実行することができる。また、ｉＶＤＲの記録媒体を装着した際に、チャプターが付与されていない録画コンテンツに対して自動的にチャプター編集を実行することもできる。
【００４１】
図６は、このようなチャプター編集の概念を説明する図である。図６は時間軸ｔを中心に、録画コンテンツｍと、縦軸にコメント数をとり、設定した所定の閾値ｎとして時刻毎のコメント数を棒グラフとして示した図である。チャプター編集の対象とする録画コンテンツの放送開始時刻がＴｓ、放送終了時刻がＴｅであったとすると、カードリッジ１００に記録された録画コンテンツは、図６のｍのように放送開始から放送終了まで記録されている。
【００４２】
一方、コメント蓄積サーバには、その放送を視聴している不特定多数の視聴者からリアルタイムにコメントが書き込まれる。コメントには、書込み対象の放送局のチャンネル（あるいは放送局名）が記載され、投稿時刻がサーバによって付与される。図６は時刻毎のコメント数を棒グラフ化して示したものであり、時刻ｔａ、ｔｂ、ｔｃ、ｔｄにおいて、閾値ｎを超えるコメントの書込みがあったことがわかる。
【００４３】
そこで、時刻ｔａ、ｔｂ、ｔｃ、ｔｄに該当する録画コンテンツのそれぞれの位置にチャプターｃｈ１、ｃｈ２、ｃｈ３、ｃｈ４を設定する。ユーザはチャプターが設定された位置ｃｈ１、ｃｈ２、ｃｈ３、ｃｈ４の任意の位置から録画コンテンツを再生することができる。チャプター設定にあたっては、コメント蓄積サーバから取得したコメントについて、例えば、１分毎にその１分間の書込みコメント数を算出するように構成することができる。
【００４４】
このようにすれば、例えば、録画コンテンツがサッカーのー試合であった場合、ゴールした瞬間には当然書込みコメント数が増えるから録画コンテンツの対応する時刻の場面にチャプターを設定することができ、ユーザはゴールシーンから再生を開始することができるようになる。
【００４５】
前記第１の方法の場合、チャプター編集処理部２９は、コメント管理部２８から送られた録画コンテンツに関するコメント情報を解析し、所定の回数を超えるコメントを検出すると、録画コンテンツの該当部分にチャプターを設定する。チャプター編集処理部２９はコメント情報の全てについての処理を終了するまで前述の処理を繰り返す。なお、以上はコメント回数が一定数以上の場合にチャプターを設定するものであるが、本発明はこれに限らず、所定数以下のコメント書き込みがあった部分にチャプターを設定するようにしてもよい。従って、不特定多数のユーザが書き込んだコメントに基づいて自動的にチャプターを設定することができるようになる。
【００４６】
第２の方法の場合は、ユーザが１つまたは複数のキーワードを設定しておき、チャプター編集処理部２９は、設定されたキーワードを含むコメントを検出すると、当該キーワードを含むコメントが書き込まれたコンテンツの部分にチャプターを設定して編集する。
【００４７】
ハードディスク（カートリッジ１００）に記録する録画コンテンツには録画開始/終了時間とチャンネル名の情報が記録される。また、前述のように、コメント蓄積サーバ（不図示）に投稿されるコメントには、投稿日時とコメントに対応するチャンネル名が含まれる。そこで、コンテンツの録画中にコメント管理部２８がコメント蓄積サーバに蓄積されたコメントを取得して保存する処理を行う場合は、ハードディスクに所望のコンテンツの記録をしている時に、コンテンツ管理部２８は当該録画中のコンテンツを放送しているチャンネルに対してコンテンツ蓄積サーバに投稿されているコメント群をコンテンツ蓄積サーバからリアルタイムに受信して保存する。
【００４８】
また、コンテンツの録画後にコメント管理部２８がコメント蓄積サーバに蓄積されたコメントを取得して保存する処理を行う場合は、コメント蓄積サーバから、録画開始〜終了時間までに投稿されたコメント群を投稿時間情報とともに取得して保存する。
【００４９】
このように所望の録画コンテンツに対して、録画中あるいは録画後に当該録画コンテンツに対応するコメント群を取得することができるので、チャプター編集処理を行う場合、チャプター編集処理部２９は、ハードディスクに保存したコメント群のうち、チャプター編集の対象とする録画コンテンツに関するコメントを、コメント管理部２８を介して取得し、例えば1分おきにコメント数をカウントして一定数以上／以下だったところにチャプターを設定する。すなわち、コメントの書き込み数が所定の回数になった時間に応じた録画コンテンツの部分にチャプターを設定することができる。
【００５０】
設定したキーワードを含むコメントを検出してチャプターを設定する処理も、同様に行い、当該キーワードが検出されたコメントが書き込まれた時間に対応する録画コンテンツの部分にチャプターを設定することができる。このように構成すれば、録画コンテンツが、例えば、映画の場合、録画した映画に関して関連コメント数が一定数以上または以下書き込まれた時点に該当する場面（ラストシーンや山場のシーンなど）に自動的にチャプター設定を設定することができる。従って、ユーザは、再生時にその場面（シーン）を直接呼び出して、その場面から再生することができるようになる。
【００５１】
図７は、以上説明した第１の方法を用いたチャプター編集処理の手順を示すフローチャートである。チャプター編集処理部２９は、チャプター編集処理を開始すると、コメント管理部２８を介してカートリッジ１００に保存した録画コンテンツに関するコメント情報を取得する（ステップＳ１０１）。次いでチャプター編集処理部２９は取得したコメント情報の解析処理を開始する（ステップＳ１０２）。ステップＳ１０３の処理でチャプター編集処理部２９は、所定の回数を超えるかまたは所定の回数以下のコメントがあるか否かを判別する。
【００５２】
所定の回数を超えるかまたは所定の回数以下のコメントを検出すると、チャプター編集処理部２９は、録画コンテンツの該当部分にチャプターを設定し（ステップＳ１０４）、ステップＳ１０５の判別処理に進む。一方、ステップＳ１０３の判別処理で所定の回数を超えるかまたは所定の回数以下のコメントが検出されない場合は、ステップＳ１０５の判別処理に進む。
【００５３】
ステップＳ１０５の判別処理で、チャプター編集処理部２９はコメント情報の全てについての処理を終了したか否かを判別する。コメント情報の全てについての処理が終了していなければ、ステップＳ１０２の処理に戻り前述の処理を繰り返す。コメント情報の全てについての処理が終了すれば、チャプター編集処理は終了し、チャプター編集処理部２９は、録画コンテンツに対して設定したチャプターをカートリッジ１００に保存する。ユーザがカートリッジ１００に記録した録画コンテンツを再生する場合、録画再生制御部２５は映像音声出力部２７を介してカートリッジ１００に保存されたチャプターを出力し、画面に表示させる。
【００５４】
前記第２の方法の場合、チャプター編集処理部２９は、コメント管理部２８から送られた録画コンテンツに関するコメント情報を解析し、予めユーザが設定した１つまたは複数のキーワードに従ってそのキーワードを含むコメントが書き込まれたコンテンツの部分にチャプターを設定する。チャプター編集処理部２９はコメント情報の全てについての処理を終了するまで前述の処理を繰り返す。従って、ユーザは予め所望のキーワードを設定しておくことで、録画コンテンツに対して、ユーザが所望するキーワードに基づいたチャプターを設定することができるようになる。
【００５５】
図８は、設定したキーワードによる第２の方法を用いたチャプター編集処理の手順を示すフローチャートである。チャプター編集処理部２９は、チャプター編集処理を開始すると、コメント管理部２８を介してカートリッジ１００に保存した録画コンテンツに関するコメント情報を取得する（ステップＳ２０１）。次いでチャプター編集処理部２９は取得したコメント情報の解析処理を開始する（ステップＳ２０２）。ステップＳ２０３の処理でチャプター編集処理部２９は、設定されたキーワードを含むコメントがあるか否かを判別する。
【００５６】
設定されたキーワードを含むコメントを検出すると、チャプター編集処理部２９は、録画コンテンツの該当部分にチャプターを設定し（ステップＳ２０４）、ステップＳ２０５の判別処理に進む。一方、ステップＳ２０３の判別処理で設定されたキーワードを含むコメントを含むコメントが検出されない場合は、ステップＳ２０５の判別処理に進む。
【００５７】
ステップＳ２０５の判別処理で、チャプター編集処理部２９はコメント情報の全てについての処理を終了したか否かを判別する。コメント情報の全てについての処理が終了していなければ、ステップＳ２０２の処理に戻り前述の処理を繰り返す。コメント情報の全てについての処理が終了すれば、チャプター編集処理は終了し、チャプター編集処理部２９は、録画コンテンツに対して設定したチャプターをカートリッジ１００に保存する。ユーザがカートリッジ１００に記録した録画コンテンツを再生する場合、録画再生制御部２５は映像音声出力部２７を介してカートリッジ１００に保存されたチャプターを出力し、画面に表示させる。
【００５８】
以上説明したように、本発明にかかる記録再生装置においては、ｉＶＤＲ規格に準拠して規格化されたカートリッジタイプのハードディスクを記録媒体とする記録再生装置において、ソーシャルネットワーク上から取得した不特定多数の人々が記録した種々のコメント情報を用いて、録画コンテンツに対するチャプター編集を行うことができるから、ユーザが種々のチャプター編集操作をすることなく、録画コンテンツに対するチャプター編集を行うことができるようになる。
【００５９】
また、ｉＶＤＲ規格に準拠したカートリッジおよび当該カートリッジを採用した記録再生装置などの機器には高い互換性がある。特に、デジタル放送の録画、再生においては、機器互換を特長とするコンテンツ保護技術（ＳＡＦＩＡ：Ｓｅｃｕｒｉｔｙ  Ａｒｃｈｉｔｅｃｔｕｒｅ  Ｆｏｒ  Ｉｎｔｅｌｌｉｇｅｎｔ  Ａｔｔａｃｈｍｅｎｔ  ｄｅｖｉｃｅ）に対応しており、デジタルＴＶ機器の互換性に関して利便性が高いものになっている。
【００６０】
この機器によれば、カートリッジに記録したコンテンツは、ｉＶＤＲに準拠した放送受信装置であれば、例え、他のメーカーの放送受信装置に買い換えた場合でもカートリッジに記録したコンテンツを再生することができる。
【００６１】
コンテンツに対するチャプターの編集、付与はコンテンツを録画するメディアの規格に従って行われるものであるが、ｉＶＤＲ規格に準拠した記録再生装置は高い互換性があるため、チャプター編集機能に対応していない記録再生装置であっても、チャプター再生機能を有している記録再生装置であれば、チャプター情報を保存したカートリッジ１００を当該録画再生装置に装着し、録画コンテンツをチャプター再生することができる。
【００６２】
なお、上記の実施例は、ｉＶＤＲ規格に準拠したカートリッジを装着する記録再生装置を例に説明したが、本発明はこれに限られるものではなく、一般的な記録再生装置であっても、ネットワーク接続機能を有する機器であれば適用することが可能である。
【符号の説明】
【００６３】
１００    カートリッジ
１０１    ハウジング
１０２    カートリッジ側コネクタ
１０３    ガイドレール
１０４    凹部
２０      記録再生装置
２１      チューナ
２２      ｉＶＤＲ装着部
２３      ネットワーク接続部
２４      視聴制御部
２５      録画再生制御部
２６      ＷＥＢブラウザ
２７      映像音声出力部
２８      コメント管理部
２９      チャプター編集処理部
【図１】
2012034152.tif 000003
【図２】
2012034152.tif 000004
【図３】
2012034152.tif 000005
【図４】
2012034152.tif 000006
【図５】
2012034152.tif 000007
【図６】
2012034152.tif 000008
【図７】
2012034152.tif 000009
【図８】
2012034152.tif 000010